(57)【要約】  森林の空気環境に類似している空気条件を発生させるために大気中にフィトンチッドの制御されたリリースを有する香料組成物を提供する。香料組成物は、ａ）少なくとも約０．６重量％の少なくとも１つのフィトンチッド；およびｂ）（ｉ）少なくとも１つの溶媒；および（ｉｉ）少なくとも１つのフレグランス成分を含む香料混合物、を含む。少なくとも１つのフィトンチッドの少なくとも約２５重量％は、ピネンアルファ、ピネンベータ、およびそれらの組み合わせからなる群から選択される。【特許請求の範囲】
【請求項１】
ａ）少なくとも約０．６重量％の少なくとも１つのフィトンチッド、ここで少なくとも１つのフィトンチッドの少なくとも約２５重量％が、ピネンアルファ、ピネンベータおよびそれらの組み合わせからなる群から選択される；および
ｂ）（ｉ）少なくとも１つの溶媒；および（ｉｉ）少なくとも１つのフレグランス成分を含む香料混合物、
を含む森林の空気環境に類似する空気条件を発生させるために大気中にフィトンチッドの制御されたリリースを有する香料組成物。
【請求項２】
香料混合物が、約１０，０００μｇ／Ｌ以下のＨＳｉ０を示す香料混合物を約９５重量％より多く；約１，０００μｇ／Ｌ以下のＨＳｉ０を示す香料混合物を約４０重量％〜約８５重量％；約３００μｇ／Ｌ以下のＨＳｉ０を示す香料混合物を約２０重量％〜約７５重量％；および約１００μｇ／Ｌ以下のＨＳｉ０を示す香料混合物を約５重量％〜約５０重量％、有する標準平衡ヘッドスペース濃度（ＨＳｉ０）分布曲線を示す、請求項１に記載の香料組成物。
【請求項３】
組成物が少なくとも約１．１％の少なくとも１つのフィトンチッドを含む、請求項１に記載の香料組成物。
【請求項４】
少なくとも１つのフィトンチッドの少なくとも３５％が、ピネンアルファ、ピネンベータおよびそれらの組み合わせからなる群から選択される、請求項１に記載の香料組成物。
【請求項５】
ビサボレン、カンフェン、カリオフィレン、アルファセドレン、シメンパラ、デルタ−３−カレン、ジペンテン、ファルネセン、イソロンギホレン、ｄ−リモネン、パラシメン、パラメンテン、ミルセン、オシメン、アロオシメン、スクラレン、テルピネンアルファ、テルピネンガンマ、テルピノレン、ベチベン（vetyvene）およびそれらの組み合わせからなる群から選択される１種以上のフィトンチッドをさらに含む、請求項１に記載の香料組成物。
【請求項６】
少なくとも１つの溶媒が、ジプロピレングリコールメチルエーテル、トリプロピレングリコールメチルエーテル；ジプロピレングリコールメチルエーテルアセタート；ジプロピレングリコールｎ−プロピルエーテル；ジプロピレングリコールｎ−ブチルエーテル；ジプロピレングリコール；プロピレングリコール；イソパールｈ〜ｚ；ジメチルグルタラートおよびジメチルアジパートの混合物；２，２−ジメチル−１，３−ジオキソラン−４−メタノール；エチレングリコールジベンゾアート；３−メチル−３−メトキシブタノールおよびそれらの組み合わせである、請求項１に記載の香料組成物。
【請求項７】
少なくとも１つのフレグランス成分が香料組成物の約１０％〜約８０重量％の量で存在する、請求項１に記載の香料組成物。
【請求項８】
約１，０００〜約１０，０００μｇ／ＬのＨＳｉ０を有する香料混合物成分が、（２Ｓ，４Ｓ）−１，７，７−トリメチルビシクロ［２．２．１］ヘプタン−２−イルアセタート；３，７−ジメチルオクタン−３−オール；２，６−ジメチルオクタ−７−エン−２−オール；３，７−ジメチルオクタ−１，６−ジエン−３−オール；ジエチルプロパンジオアート；ジプロピレングリコールメチルエーテル；２，６−ジメチルオクタ−７−エン−２−オール；２−（ｓｅｃ−ブチル）シクロヘキサノン；ノナニルアセタート；６，６−ジメトキシ−２，５，５−トリメチルヘキサ−２−エン；エチルヘプタノアート；エチル３−オキソブタノアート；ヘキシルアセタートおよびそれらの組み合わせからなる群から選択される、請求項３に記載の香料組成物。
【請求項９】
約３００〜約１，０００μｇ／ＬのＨＳｉ０を有する香料混合物成分が、２−（４−メチルシクロヘキサ−３−エン−１−イル）プロパン−２−オール；４−（ｔｅｒｔ−ブチル）シクロヘキシルアセタート；フェニルメタノール；２−（４−メチルシクロヘキサ−３−エン−１−イル）プロパン−２−イルアセタート；（Ｅ）−３，７−ジメチルノナ−１，６−ジエン−３−オール；２，６−ジメチルオクタン−２−オール；３，７−ジメチルオクタ−６−エン−３−オール；１−フェニルエチルアセタート；２−（ｔｅｒｔ−ブチル）シクロヘキシルアセタート；ベンジルアセタート；ジプロピレングリコールメチルエーテルアセタート；３，７−ジメチルオクタ−１，６−ジエン−３−イルアセタート；およびそれらの組み合わせからなる群から選択される、請求項３に記載の香料組成物。
【請求項１０】
約１００〜約３００μｇ／ＬのＨＳｉ０を有する香料混合物成分が、（３ａＲ，６Ｓ，７ａＳ）−３ａ，４，５，６，７，７ａ−ヘキサヒドロ−１Ｈ−４，７−メタノインデン−６−イルプロピオナート；（３ａＲ，６Ｓ，７ａＳ）−３ａ，４，５，６，７，７ａ−ヘキサヒドロ−１Ｈ−４，７−メタノインデン−６−イルアセタート；２−フェニルエタノール；トリプロピレングリコールメチルエーテル；ジメチルグルタラートおよびジメチルアジパートの混合物；およびそれらの組み合わせからなる群から選択される、請求項３に記載の香料組成物。
【請求項１１】
約１００μｇ／Ｌ以下のＨＳｉ０を有する香料混合物成分が、ジプロピレングリコールｎ−ブチルエーテル；テトラヒドロ−４−メチル−２−（２−メチルプロピル）−２Ｈ−ピラン−４−オール；ジプロピレングリコール；メチル３−フェニルプロパ−２−エノアート；（３−ペンチルオキサン−４−イル）アセタートおよびそれらの組み合わせからなる群から選択される、請求項３に記載の香料組成物。
【請求項１２】
（ａ）少なくとも約０．６％の少なくとも１つのフィトンチッド、ここで少なくとも１つのフィトンチッドの少なくとも約２５重量％は、ピネンアルファ、ピネンベータ、およびそれらの組み合わせからなる群から選択され；ならびに（ｂ）（ｉ）少なくとも１つの溶媒；および（ｉｉ）少なくとも１つのフレグランス成分を含む香料混合物、を含む、森林の空気環境に類似する空気条件を発生させるために大気中にフィトンチッドの制御されたリリースを有する香料組成物；ここで香料組成物は少なくとも３０日間比較的一定である、１時間当たり約０．８μｇ／ｍ３〜１時間当たり約１０μｇ／ｍ３のフィトンチッド蒸発率を有する：を含む、電気式液体ウィック空気清浄装置。
【請求項１３】
香料組成物が少なくとも約１．１％の少なくとも１つのフィトンチッドを含む、請求項１２に記載の空気清浄装置。
【請求項１４】
香料混合物が、約１０，０００μｇ／Ｌ以下のＨＳｉ０を示す香料混合物を約９５重量％より多く；約１，０００μｇ／Ｌ以下のＨＳｉ０を示す香料混合物を約４０重量％〜約８５重量％；約３００μｇ／Ｌ以下のＨＳｉ０を示す香料混合物を約２０重量％〜約７５重量％；および約１００μｇ／Ｌ以下のＨＳｉ０を示す香料混合物を約５重量％〜約５０重量％、有する標準平衡ヘッドスペース濃度（ＨＳｉ０）分布曲線を示す、請求項１２に記載の空気清浄装置。
【請求項１５】
香料組成物が約０．０７重量％〜約０．９重量％のピネンアルファ；約０．０２重量％〜０．２重量％のピネンベータ；約０．１重量％〜約１．１重量％のデルタ−３−カレン；約０．０１重量％〜約０．１重量％のカンフェンおよび約０．０２重量％〜約０．２重量％のリモネンを含む、請求項１２に記載の空気清浄装置。
【請求項１６】
香料組成物が約０．０３重量％〜約０．４重量％のピネンアルファ；約０．０１重量％〜約０．１重量％のピネンベータ；約０．０３重量％〜約０．４重量％のパラ−シメン；約０．０１重量％〜約０．１重量％のカンフェン；約０．０５重量％〜約０．７重量％のオシメン；０．０３重量％〜０．４重量％のテルピノレン；および約０．０４重量％〜約０．４重量％のリモネンを含む、請求項１２に記載の空気清浄装置。
【請求項１７】
香料組成物がビサボレン、カンフェン、カリオフィレン、アルファセドレン、シメンパラ、デルタ−３−カレン、ジペンテン、ファルネセン、イソロンギホレン、ｄ−リモネン、パラシメン、パラメンテン、ミルセン、オシメン、アロオシメン、スクラレン、テルピネンアルファ、テルピネンガンマ、テルピノレン、ベチベン（vetyvene）およびこれらの組み合わせからなる群から選択される１種以上のフィトンチッドをさらに含む、請求項１２に記載の空気清浄装置。
【請求項１８】
少なくとも１つの溶媒が、ジプロピレングリコールメチルエーテル、トリプロピレングリコールメチルエーテル；ジプロピレングリコールメチルエーテルアセタート；ジプロピレングリコールｎ−プロピルエーテル；ジプロピレングリコールｎ−ブチルエーテル；ジプロピレングリコール；プロピレングリコール；イソパールｈ〜ｚ；ジメチルグルタラートおよびジメチルアジパートの混合物；２，２−ジメチル−１，３−ジオキソラン−４−メタノール；エチレングリコールジベンゾアート；３−メチル−３−メトキシブタノールおよびそれらの組み合わせからなる群から選択される、請求項１２に記載の空気清浄装置。
【請求項１９】
少なくとも約０．６％の少なくとも１つのフィトンチッド、ここで少なくとも１つのフィトンチッドの少なくとも約２５重量％は、ピネンアルファ、ピネンベータ、およびそれらの組み合わせからなる群から選択される、を含む、森林の空気環境に類似する空気条件を発生させるために大気中にフィトンチッドの制御されたリリースを有する香料組成物；ここで香料組成物は少なくとも３０日間比較的一定である、１時間当たり約０．８μｇ／ｍ３〜１時間当たり約１０μｇ／ｍ３のフィトンチッド蒸発率を有する：を含む、自動エアロゾル空気清浄装置。
【発明の詳細な説明】
【技術分野】
【０００１】
発明の分野
本開示は空気清浄機に関する。特に、本開示はフィトンチッドの大気中への強化し、かつ制御したリリースをもたらす空気清浄香料組成物に関する。より具体的には、本開示は、森林の空気環境に類似する空気条件を発生させるために大気中にフィトンチッドの一定のリリースをもたらす空気清浄機の香料組成物に関する。
【背景技術】
【０００２】
発明の背景
部屋の中の空気に快適で爽やかなフレグランスを送り込むために、電気式差し込み式の空気清浄機、ろうそく、エアロゾルディフューザー、噴霧、膜空気清浄機などを含む、能動的および受動的な空気清浄機などの装置を用いることは公知である。この種の多くの装置が市場で利用可能であり、同様に多くのフレグランスも共に利用可能である。標的となる消費者の恩恵は、例えば、近隣の匂い、快楽、悪臭を打ち消すこと、および防虫性を含む。
【０００３】
アジアの国々で人気のある運動である森林浴は、森林で散歩することやエアロビクスすることを含む、ボディスカルピングの手段である。森林浴旅行は、ストレスおよび不安の軽減、行動の鎮静化および再活性化など、人に前向きな効果を有すると考えられる。これらの恩恵は、森林の大気中にフィトンチッドまたは木のオイルエッセンス要素の存在に関するものであると認識される。特に、フィトンチッドの存在と人のナチュラルキラー細胞の活性の間の相関が文書化されてきている。例えば、Q. Li at al. International Journal of Immunopathology and Pharmacology 22 (2009) pages 951 to 959およびその中に引用される文献参照。天然の森林の大気への個々の暴露により誘導された有機体の天然の防御の増加、特に樹脂またはユーカリの木に存在するものもよく知られている。これらのフィトンチッドはテルペンおよびセスキテルペンのファミリーの揮発性分子であり、それらは木自身から製造され、一方かかる製造は、松の木やヌマスギの木などの樹脂性の木において重要である。
【０００４】
しかしながら、人々は仕事で忙しく、大抵、特に都市の居住者は、森林における空気環境を楽しむために森林に旅行する時間がない。したがって、内部環境に森林の空気の健康および癒しの恩恵を発生させおよび送達する、空気清浄装置を提供する必要性がある。
【発明の概要】
【０００５】
発明の概要
ある態様において、森林の空気環境に類似する空気状態を発生させるために大気中にフィトンチッドの制御されたリリースを有する香料組成物は、ａ）少なくとも約０．６重量％の少なくとも１つのフィトンチッド；ならびにｂ）（ｉ）少なくとも１つの溶媒；および（ｉｉ）少なくとも１つのフレグランス成分を含む、香料混合物を含む。少なくとも１つのフィトンチッドの少なくとも約２５重量％は、ピネンアルファ、ピネンベータおよびそれらの組み合わせからなる群から選択される。
【０００６】
もう１つの態様において、空気清浄装置は、森林の空気環境に類似する空気状態を発生させるために大気中へのフィトンチッドの制御されたリリースを有する香料組成物を含む。香料組成物は、（ａ）ピネンアルファ、ピネンベータおよびそれらの組み合わせからなる群から選択される少なくとも約０．６重量％の少なくとも１つのフィトンチッド；および（ｂ）（ｉ）少なくとも１つの溶媒；および（ｉｉ）少なくとも１つのフレグランス成分、を含む香料混合物を含む。香料組成物は、少なくとも３０日間は比較的一定である、１時間あたり約０．８μｇ／ｍ３〜約１０μｇ／ｍ３のフィトンチッド蒸発率を有する。
もう１つの態様において、自動エアロゾル空気清浄装置は、森林の空気環境に類似する空気状態を発生させるために大気中へのフィトンチッドの制御されたリリースを有する香料組成物を含む。香料組成物は、ピネンアルファ、ピネンベータおよびそれらの組み合わせからなる群から選択される少なくとも１つのフィトンチッドを含む。香料組成物は、少なくとも３０日間比較的一定である約０．８μｇ／ｍ３の〜約１０μｇ／ｍ３のフィトンチッド蒸発率を有する。
特定の態様のこれらおよび他の特性、側面および利益は、本開示の見解から当業者に明らかであろう。
【発明を実施するための形態】
【０００７】
発明の詳細な説明
以下の本文は、本開示の多数の異なる態様の広い説明を記載する。あらゆる態様を記載することは不可能でない場合でも非現実的なので、説明は単なる例示として解釈されるべきであり、あらゆる可能な態様を記載するものではない。本明細書に記載されている任意の他の特性、特徴、要素、組成物、成分、製品、ステップまたは方法は、全体的にまたは部分的に、削除され得、本明細書に記載される任意の特性、特徴、要素、組成物、成分、製品、ステップまたは方法と合わせるかまたは置き換えられることができる。多くの代替的な態様は、現在の技術または本特許の出願日後に開発された技術のいずれかを用いて実行されることができ、それはなおも本特許請求の範囲に包含される。本明細書で引用された出版物および特許の全ては参照により本明細書に組み込まれる。
【０００８】
フィトンチッドは、バクテリア、微細菌および昆虫の成長（growth）および発達（development）を止めるかまたは抑制する植物起源の生物学的に活性な物質である。フィトンチッドは植物免疫において重要な役割を果たす。それらは１９２８年にB. P. Tokinによって発見された。フィトンチッドを製造する能力は、それらの歴史的な発達の工程において得られた全ての植物に共通する性質である。フィトンチッドの分泌は、植物が傷つけられたときに増加する。主に日本で行われた様々な臨床研究が、フィトンチッドは人の健康にも前向きな活性を有することを立証する。
【０００９】
フィトンチッドは化学組成物において変化する。それらは通常グリコシド、テルペノイド、タンニン要素、フィトアレキシン、ソホラフラボン、アルファマンゴスチンおよびスチルベンオリゴマーなどの化合物の群からなる。しかしながら、空気清浄機の応用ための関心の一部は、２５℃で約０．００１ｍｍ／Ｈｇより高い蒸気圧を有するフィトンチッドを含むものであり、もう１つの態様において２５℃で約０．０１ｍｍ／Ｈｇより高く、およびもう１つの態様において２５℃で約０．１ｍｍ／Ｈｇより高い。かかるフィトンチッドの非限定の例は、モノテルペン、例えばリモネン、アルファ−ピネン、ベータ−ピネン、ベータ−ミルセン、トリシクレン、カンフェン、デルタ−３−カレン、２−カレン、アルファ−テルピネン、ガンマ−テルピネン、テルピノレン、カンファー、カンフェン、パラ−シメン、アルファ−フェランドレン、ベータ−フェランドレン、サビネン、シス−オシメン、ベータ−オシメン、アルファ−ツジェン、ベータ−エレメン、ボルネンなど；およびセスキテルペン、例えば、ファルネセン、コパエン、カリオフィレン、アルファ−ロンギホレン、アルファ−セドレン、ガンマ−ムウロレン、デルタ−カジネンなど；およびそれらの誘導体、例えばエレモール、セドロール、アルファ−ユーデスモールなど、を含む。
【００１０】
より一般的に、イソペンテニルピロホスファートとジメチルアリルピロホスファートとの縮合でゲラニルピロホスファートおよびファルネシルピロホスファートとするか、またはイソペンテニルピロホスファートとイソプレンシンターゼ酵素の反応のいずれかを含む生合成経路を介する、イソペンテニルピロホスファートから誘導された任意の炭化水素は、本開示のための関心である。
フィトンチッドの天然の放出レベルは変化しやすく、木の種や日中に評価するか夜間に評価するかに依存し得る。例えば、森林の大気においてテルペンの最も高い濃度はおよそ午前４時に見出される。例えば、R. Janson, J. Atmospheric Chemistry 14 (1992) pages 385 to 394は、合計モノテルペン濃度が日中約０．０１〜約０．５ｐｐｂｖ（体積比１０億分の１）および夜間約０．２〜約８ｐｐｂｖであることを報告する。理想気体の法則およびモノテルペンに対する１３６ｇ／ｍｏｌを考慮すると、これらは、日中約０．０５〜約２．８ｎｇ／ｌまたは立方メートルあたり約０．０５〜約２．８マイクログラム；および夜間約１．１〜約４４．５ｎｇ／ｌまたは立方メートルあたり約１．１〜約４４．５マイクログラムの濃度に対応する。
【００１１】
さらに、個々のモノテルペンの一部は１つの木の種からもう１つの木の種に変化し得る。したがって例えば、木々により放出されたモノテルペンの総量におけるアルファ−ピネンの一部は、約０（２）〜約１００重量％（ｗｔ％）であり得、一方丸括弧の間の数字は（S. Moukhtar, Thesis, Institur National Polytechnique de Toulouse, 2005）に公開された最も低い測定値を示す。もっとも重要なモノテルペンの対応する範囲を、同じ文献により、ｗｔ％で以下に列挙する：アルファ−ピネン（約０（３．９）〜約５５ｗｔ％）；デルタ−３−カレン（約０（０．１）〜約３０ｗｔ％）；カンフェン（約０（１，１）〜約２５ｗｔ％）；リモネン（約０（０．１）〜約９０ｗｔ％）；ミルセン（約０（０．４）〜約５５ｗｔ％）；サビネン（約０（０．７）〜約７５ｗｔ％）；トランス−オシメン（約０（１４．７）〜約５０ｗｔ％）；パラ−シメン（約０（０．１）〜約２０ｗｔ％）；テルピノレン（約０（０．５）〜約１６ｗｔ％）；アルファ−テルピネオール（約０（０．５）〜約２０ｗｔ％）。
【００１２】
この点を説明するために、例えば、Pinus Sylvestrisが均一的に存在する森林地域は、平均で、約５２ｗｔ％のアルファ−ピネン、約８ｗｔ％のベータ−ピネン、約２６ｗｔ％のデルタ−３−カレン、約７ｗｔ％のカンフェン、約４ｗｔ％のリモネンおよび約４ｗｔ％のミルセンからなるモノテルペンの混合物を放出することができ、一方、Quercis Roburが均一的に存在する森林地域は、平均で、約３５ｗｔ％のアルファ−ピネン、約６ｗｔ％のベータ−ピネン、約０．３ｗｔ％のデルタ−３−カレン、約６．８ｗｔ％のカンフェン、約１３ｗｔ％のリモネン、約０．５ｗｔ％のミルセン、約０．７ｗｔ％のサビネン、約１５ｗｔ％のトランス−オシメン、約１２ｗｔ％のパラ−シメンおよび約１２％テルピノレンを放出することができ、ならびにFagus Sylvaticaは、３ｗｔ％のアルファ−ピネン、約８．５ｗｔ％のベータ−ピネン、約３ｗｔ％のリモネン、約３ｗｔ％のミルセン、約７５ｗｔ％サビネン、約１．５ｗｔ％のアルファ−ツジェン、約８ｗｔ％アルファ−フェランドレン、約７．５ｗｔ％ガンマ−テルピノレンおよび約１ｗｔ％テルピノレンを放出することができる。
【００１３】
フィトンチッドの濃度と共に、本開示に対する関心のもう１つの特徴は、実際にフィトンチッドの放出の割合である。この割合を通常乾燥木材物質のグラム当たり、かつ３０３Ｋでの時間あたりのフィトンチッドをマイクログラムにおいて表現する。定義により、乾燥木材物質の質量を、６０℃で質量一定に到達するまでの水の除去後に決定する。ほとんどの木に関して、全てのモノテルペンの放出率は、季節に依存して、グラム乾燥物質あたり時間あたり約０．１〜約５０マイクログラムであり（J. Llusia, J. Penuelas, American J. Botany, 87 (2000) pages 133 to 140）、もう１つの態様においては、グラム乾燥物質あたり時間当たり約０．１ｍｇ／ｈ〜約１５マイクログラムであり、もう１つの態様においては、グラム乾燥物質あたり時間あたり約０．１ｍｇ／ｈ〜約５マイクログラムである（S. Moukhtar, Thesis, Institur National Polytechnique de Toulouse, 2005）。
【００１４】
他方、生きている木は約５０〜７５ｗｔ％の水で作られており、これは生きている木が約２５％〜５０％の乾燥木材物質を有することを意味する。Pinus Sylvestrisなどの針葉樹の典型的な森林は、約１０００ｋｇ／ｍ２の湿潤バイオマスを有し（G. Allwine et al. in “Application of Atmospheric Tracer Technique to Determine Biogenic Hydrocarbon Fluxes from an Oak Forest”, B.A. Hutchinson and B.B. Hicks (eds), D Reidel Publishing Company, 1985, pages 361 to 382参照）、それは乾燥物質２５０〜５００ｋｇに対応する。したがって、このバイオマスにより放出されるモノテルペンの総量はｍ２／時間あたり約２５〜約２５０００ｍｇであり、もう１つの態様においては、ｍ２あたり、時間当たり約２５〜約７５００ｍｇであり、およびもう１つの態様においては、ｍ２あたり、時間当たり約２５〜約２５００ｍｇである。
【００１５】
しかしながら、Allwine (op cit.)によって行われたフラックス測定は、測定された放出値がこれらの値よりかなり低く、外部風および鉛直対流／拡散作用により示唆する希釈因子が約３０〜８００であることを示す。かかる希釈因子を適用して、効果的な局所放出は、ｍ２あたり、時間あたり約０．０３〜約３０ｍｇであり、もう１つの態様においては、ｍ２あたり、時間あたり約０．０３〜約１０ｍｇおよびさらなるもう１つの態様においては、ｍ２および時間あたり約０．０３〜約３ｍｇである。最後に、地面、すなわち森林で歩いている人が彼／彼女にとって役立つフィトンチッドに気づくだろう位置、から２ｍ以内に配置された体積における平均の放出率を得るために、これらの値は１５に分けられる必要があり、それはメーターにおける木の平均の高さの半分である（例えばUniversity of Arkansas Publication FSA5021参照）。これはｍ３あたり時間あたり約１〜約１０００マイクログラム、もう１つの態様においては、ｍ３あたり時間あたり約１〜約３００マイクログラム、およびもう１つの態様においては、ｍ３および時間あたり約１〜約１００マイクログラムのこの位置での局所放出率をもたらす。
【００１６】
香料組成物
本開示により、香料組成物は、フィトンチッド、溶媒およびフレグランス成分の混合物を含む。
フィトンチッド
ある態様に従って、本開示による香料組成物は少なくとも1つのフィトンチッドを含むことができる。適切なフィトンチッドは２５℃で約０．００１ｍｍ／Ｈｇより高い蒸気圧を有してもよい；もう１つの態様においては２５℃で約０．０１ｍｍ／Ｈｇより高く；およびもう１つの態様においては２５℃で約０．１ｍｍ／Ｈｇより高い。
しかしながら、出願人は、空気清浄機の事情において、成分の蒸気圧は、それらの標準平衡ヘッドスペース濃度（ＨＳｉ０）で有利に置き換えてもよい、ということを見出した。
【００１７】
マイクログラム／リットル（μｇ／Ｌ）で表現される、標準平衡ヘッドスペース濃度（ＨＳｉ０）は、２５℃の温度で、かつ１気圧の圧力下でこの成分の固形または液体形状である濃縮形態と平衡である成分の濃度をいう。それは、技術分野において任意の公知な定量的ヘッドスペース分析技術を用いて測定されることができる。適切な方法は、Mueller and Lamparsky in Perfumes: Art, Science and Technology, Chapter 6 “The Measurement of Odors” at pages 176-179 (Elsevier 1991)に記載されている。
【００１８】
ある例において、ＨＳｉ０は以下の通り測定され得る：試験化合物５００ｍｇをその後密封されるヘッドスペース容器に添加する。その後容器を化合物が気相と液相の間で平衡に達するまで一定の２５℃でインキュベートする。この飽和したヘッドスペース（通常０．５−１．０リットル）の定義した体積は吸着剤としてPorapak Qを用いたマイクロフィルター上に捕捉される。適切な溶媒（通常３０−１００マイクロリットルのメチルｔｅｒｔ−ブチルエーテル）を用いたフィルター抽出の後、抽出物の一定分量をＧＣによって分析する。Quantificationが外部標準キャリブレーション法によって行われる。最初のヘッドスペースの濃度はマイクロフィルターを通して吸入されたヘッドスペース体積およびガスクロマトグラフに注入されたフィルター抽出物の一定分量から（μｇ／Ｌを単位として）計算することができる。既定の試験化合物の最終ヘッドスペース濃度値は３種の各々独立した測定の平均値として得られる。さらに本明細書において上記の技術情報はEtzweiler, F.; Senn E. and Neuner-Jehle N., Ber. Bunsen-Ges. Phys. Chem. 1984, 88, 578-583の論文に見出され得る。
【００１９】
ＨＳｉ０は、理想気体の状態方程式を通して成分の蒸気圧に関連する。表形式データはグループ寄与モデル、統計モデル、または第一原理（ab-initio）モデルをもちいて計算されると推定されるので、出願人は、ＨＳｉ０はほとんどの利用可能な表形式蒸気圧データよりも正確であると考え、一方、出願人により用いられるヘッドスペース濃度は本明細書の上記の通り、よく確立したプロトコールにより測定された。
【００２０】
本開示による例示のフィトンチッドは、（Ｅ）−１−メチル−４−（６−メチルへプタ−２，５−ジエン−２−イル）シクロヘキサ−１−エン、例えばビサボレン；（１Ｓ，４Ｒ）−２，２−ジメチル−３−メチレンビシクロ［２．２．１］ヘプタン、例えばカンフェン；（Ｚ）−４，１１，１１−トリメチル−８−メチレンビシクロ［７．２．０］ウンデカ−４−エン、例えばカリオフィレン；（１Ｓ，８ａＲ）−１，４，４，６−テトラメチル−２，３，３ａ，４，５，８−ヘキサヒドロ−１Ｈ−５，８ａ−メタノアズレン、例えば、アルファセドレン；１−メチル−４−プロパン−２−イルベンゼン、例えば、シメンパラ；３，７，７−トリメチルビシクロ［４．１．０］ヘプタ−３−エン、例えばデルタ−３−カレン；１−メチル−４−（プロパ−１−エン−２−イル）シクロヘキサ−１−エン、例えばジペンテン；（Ｅ）−７，１１−ジメチル−３−メチレンドデカ−１，６，１０−トリエン、例えばファルネセン；（２Ｓ）−１，３，４，５，６，７−ヘキサヒドロ−１，１，５，５−テトラメチル−２Ｈ−２，４ａ−メタノナフタレン、例えば、イソロンギホレン；１−メチル−４−プロパ−１−エン−２−イルシクロヘキセン、例えばＤ−リモネン；１−メチル−４−プロパン−２−イルベンゼン、例えばパラシメン；１−メチル−４−プロパン−２−イルシクロヘキセン、例えばパラメンテン；７−メチル−３−メチルエンオクタ−１，６−ジエン、例えばミルセン；（Ｅ）−３，７−ジメチルオクタ−１，３，６−トリエン、例えばオシメン；１−メチル−４−プロパン−２−イルベンゼン、例えばアロオシメン；２，６，６−トリメチルビシクロ［３．１．１］ヘプタ−２−エン、例えばピネンアルファ；６，６−ジメチル−２−メチレンビシクロ［３．１．１］ヘプタン、例えば（ピネンベータ）；（４ａＳ，８Ｓ，８ａＳ）−４，４，８ａ−トリメチル−７−メチリデン−８−（３−メチリデンペンタ−４−エニル）−２，３，４ａ，５，６，８−ヘキサヒドロ−１Ｈ−ナフタレン、例えばスクラレン；１−メチル−４−プロパン−２−イルシクロヘキサ−１，３−ジエン、例えばテルピネンアルファ；１−メチル−４−プロパン−２−イルシクロヘキサ−１，４−ジエン、例えばテルピネンガンマ；１−メチル−４−（プロパン−２−イリデン）シクロヘキサ−１−エン、例えばテルピノレン；２−イソプロピル−８−メチレンデカヒドロ−４，７−メタノアズレン、例えばベチベン（VETYVENE）を含んでよいがこれらに限定されない。
【００２１】
出願人は、本開示による空気清浄機香料組成物に対して、空気中の濃度がｗｔ％での組成物におけるこのフィトンチッドの濃度に乗じた純粋なフィトンチッドのＨＳｉ０に直接的に比例するということを見出した。本明細書で用いられるように、「揮発性フィトンチッド」は、約１０００μｇ／Ｌより大きいＨＳｉ０（すなわち、２５℃で約０．１ｍｍＨｇより高い蒸気圧）を有するフィトンチッドを意味する。これは、空気中における所望のフィトンチッド濃度プロファイルをもたらす必要がある空気清浄機組成物におけるフィトンチッドの濃度の直接の予測を許容する。
【００２２】
香料組成物は、１種以上のフィトンチッドの香料組成物を約０．１重量％〜約１５重量％、またはその範囲内の任意の個別の数で含んでもよい。もう１つの態様において、香料組成物は、１種以上のフィトンチッドの香料組成物を少なくとも約０．６重量％；もう１つの態様において１種以上のフィトンチッドの香料組成物を少なくとも約０．８重量％；およびさらにもう１つの態様において、１種以上のフィトンチッドの香料組成物を少なくとも約１．１重量％で含んでもよい。
【００２３】
ある態様において、フィトンチッドは、ピネンアルファ、ピネンベータおよびそれらの混合物からなる群から選択される１種以上のフィトンチッドを少なくとも約２５ｗｔ％含む。もう１つの態様において、香料組成物は、ピネンアルファ、ピネンベータおよびそれらの混合物からなる群から選択される１種以上のフィトンチッドを少なくとも約３５ｗｔ％含む。さらにもう１つの態様において、香料組成物は、ピネンアルファ、ピネンベータおよびそれらの混合物からなる群から選択される１種以上のフィトンチッドを少なくとも約５０ｗｔ％含む。
【００２４】
もう１つの態様において、香料組成物は、約０．１％〜約０．９ｗｔ％のピネンアルファ；約０．１ｗｔ％〜約０．９ｗｔ％のピネンベータ；ならびに約０．１ｗｔ％〜約０．９ｗｔ％の、ビサボレン、カンフェン、カリオフィレン、アルファセドレン、シメンパラ、デルタ−３−カレン、ジペンテン、Ｄ−リモネン、ファルネセン、イソロンギフォレン、パラシメン、パラメンテン、ミルセン、オシメン、アロオシメン、スクラレン、テルピネンアルファ、テルピネンガンマ、テルピノレン、ベチベンおよびそれらの混合物からなる群から選択される１種以上のフィトンチッド、を含む。
【００２５】
もう１つの態様において、香料組成物は、約０．３ｗｔ％〜約０．５ｗｔ％のピネンアルファ；約０．３ｗｔ％〜約０．５ｗｔ％のピネンベータ；ならびに約０．３ｗｔ％〜約０．５ｗｔ％の、ビサボレン、カンフェン、カリオフィレン、アルファセドレン、シメンパラ、デルタ−３−カレン、ジペンテン、Ｄ−リモネン、ファルネセン、イソロンギフォレン、パラシメン、パラメンテン、ミルセン、オシメン、アロオシメン、スクラレン、テルピネンアルファ、テルピネンガンマ、テルピノレン、ベチベンおよびそれらの混合物からなる群から選択される１種以上のフィトンチッド、を含む。 
【００２６】
もう１つの態様において、香料組成物は、マツ（Pinus Sylvestris）の森林により放出されたフィトンチッド組成物を模倣する。特に、香料組成物は、約０．０７ｗｔ％〜約０．９ｗｔ％のピネンアルファ；約０．０２ｗｔ％〜約０．２ｗｔ％のピネンベータ；約０．１ｗｔ％〜約１．１ｗｔ％のデルタ−３−カレン；約０．０１ｗｔ％〜約０．１ｗｔ％のカンフェンおよび約０．０２ｗｔ％〜約０．２ｗｔ％のレモネンを含む。もう１つの態様において、香料組成物は、約０．２７重量％〜０．４ｗｔ％のピネンアルファ；約０．０７ｗｔ％〜約０．１ｗｔ％のピネンベータ；約０．３５ｗｔ％〜約０．５ｗｔ％のデルタ−３−カレン；約０．０４ｗｔ％〜約０．１ｗｔ％のカンフェンおよび約０．０６ｗｔ％〜約０．１ｗｔ％のリモネンを含む。
【００２７】
もう１つの態様において、香料組成物は、オーク（Quercis Robur）の森林により放出されたフィトンチッド組成物を模倣する。特に、香料組成物は、約０．０３ｗｔ％〜約０．４ｗｔ％のピネンアルファ；約０．０１ｗｔ％〜約０．１ｗｔ％のピネンベータ；約０．０３ｗｔ％〜約０．４ｗｔ％のパラ−シメン；約０．０１ｗｔ％〜約０．１ｗｔ％のカンフェン；約０．０５ｗｔ％〜約０．７ｗｔ％のオシメン；約０．０３ｗｔ％〜約０．４ｗｔ％のテルピノレン；および約０．０４ｗｔ％〜約０．４ｗｔ％のレモネンを含む。もう１つの態様において、香料組成物は約０．１３ｗｔ％〜約０．２ｗｔ％のピネンアルファ；約０．０４ｗｔ％〜約０．１ｗｔ％のピネンベータ；約０．１２ｗｔ％〜約０．２ｗｔ％のパラ−シメン；約０．０５ｗｔ％〜約１．１ｗｔ％のカンフェン；約０．２１ｗｔ％〜約０．３ｗｔ％のオシメン；約０．１３ｗｔ％〜約０．２ｗｔ％のテルピノレン；および約０．１４ｗｔ％〜約０．２ｗｔ％のリモネンを含む。
【００２８】
溶媒
ある態様によると、本開示による香料組成物は、少なくとも１つの溶媒を含む。適切な溶媒は、分子量に依存して、約０．５ｍｍＨｇ（約４０００〜約５０００μｇ／ＬまでのＨＳｉ０に対応する）までの蒸気圧を有してもよい；もう１つの態様において、溶媒は、分子量に依存して、約０．１ｍｍＨｇ（約５００〜約７００μｇ／ＬまでのＨＳｉ０に対応する）までの蒸気圧を有してもよい。
【００２９】
適切な溶媒または溶媒の混合物は、ジプロピレングリコールメチルエーテル、トリプロピレングリコールメチルエーテル、例えば、Dow Chemicalsから利用可能なＤＯＷＡＮＯＬ  ＴＰＭ；ジプロピレングリコールメチルエーテルアセタート、例えば、Dow Chemicalsから利用可能なＤＯＷＡＮＯＬ  ＤＰＭＡ；ジプロピレングリコールｎ−プロピルエーテル、例えば、Dow Chemicalsから利用可能なＤＯＷＡＮＯＬ  ＤＰｎＰ；ジプロピレングリコールｎ−ブチルエーテル、例えば、Dow Chemicalsから利用可能なＤＯＷＡＮＯＬ  ＤＰｎＢ；ExxonMobil Chemicalsから利用可能なジプロピレングリコール、プロピレングリコール、アイソパーＨ〜Ｚ；ジメチルグルタラートの混合物およびジメチルアジパート混合物、例えばFlexisolve Technologyから利用可能なＦＬＥＸＩＳＯＬＶＥ；２，２−ジメチル−１，３−ジオキソラン−４−メタノール、例えばRhodiaから利用可能なＡＵＧＥＯ−ＣＬＥＡＮ  ＭＵＬＴＩ；エチレングリコールジベンゾアート、例えばEastmanから利用可能なベンゾフレックスＰ２００；およびクラレから利用可能な３−メチル−３−メトキシブタノールを含んでもよいが、これらに限定されない。
【００３０】
ある態様において、本開示による香料組成物は約１０〜約７５ｗｔ％、もう１つの態様において約２５〜約６０ｗｔ％、およびさらにもう１つの態様において約３０〜約５０ｗｔ％のレベルで１つの溶媒を含む。
【００３１】
フレグランス成分
ある態様により、本開示による香料組成物における使用のためのフレグランス成分は、エッセンシャルオイルなどの天然物、アブソルート（absolutes）、合成樹脂、樹脂、凝集体（concretes）、ならびに炭化水素、アルコール、アルデヒド、ケトン、エーテル、酸、アセタール、ケタールおよびニトリルなどの合成香料要素であって、飽和および不飽和化合物、脂肪族、炭素環式およびヘテロ環式化合物、または上記のいずれかの前駆体から選択されてもよい。使用されてもよい臭気物質組成物の他の例は、H 1468（United States Statutory Invention Registration）、またはS. Arctander“Perfume and Flavor Chemicals:Volume 1, Allured Publishing Corporation 1969、またはその任意の後の版、およびＩＦＲＡ（International Fragrance Research Association）データベースならびにＲＩＦＭ（Research Institute of Fragrance Materials）データベースおいて記載され、それらの各々は参照により本明細書全体に組み込まれる。
【００３２】
空気清浄香料組成物に有用な適切なフレグランス成分は、２−メチル２−ペンテン酸（２−メチル−ペンタ−２−エン酸）；アセトイン（３−ヒドロキシブタン−２−オン）；アセトフェノンエクストラ（アセトフェノン）；アグルメックス（ＡＧＲＵＭＥＸ）（２−（ｔｅｒｔ−ブチル）シクロヘキシルアセタート）；Ｃ９ノニルアルコール（ノナン−１−オール）；Ｃ１０デシルアルデヒド（デカナール）；Ｃ１１ウンデシレンアルデヒド（ウンデカ−１０−エナール）；Ｃ１２ラウリルアルデヒド（ドデカナール）；Ｃ６ヘキシルアルデヒド（ヘキサン−１−オール）；Ｃ８オクチルアルデヒド（オクタナール）；Ｃ９ノナアルデヒド（ノナナール）；アリケート（ＡＬＩＣＡＴＥ）（２，６−ジメチルヘプタン−４−イルアセタート）；アリルアミルグリコラート（アリル２−（イソペンチルオキシ）アセタート）；アリルシクロヘキシルプロピオナート（アリル３−シクロヘキシルプロピオナート）；アリルヘプタノアート；アンバーマックス（ＡＭＢＥＲＭＡＸ）（１，３，４，５，６，７−ヘキサヒドロ−ベータ，１，１，５，５−ペンタメチル−２Ｈ−２，４ａ−メタノナフタレン−８−エタノール）；アンブレットリド（（Ｚ）−オキサシクロヘプタデカ−１０−エン−２−オン）；アンブロフィックス（ＡＭＢＲＯＦＩＸ）（登録商標）（３ａ，６，６，９ａ−テトラメチルドデカヒドロナフト［２，１−ｂ］フラン）；合成アネトール（（Ｅ）−１−メトキシ−４−（プロパ−１−エン−１−イル）ベンゼン）；アンジェルク（ＡＮＪＥＲＵＫ）（登録商標）（１−フェニルエタンチオール）；アフェルマート（ＡＰＨＥＲＭＡＴＥ）（１−（３，３−ジメチルシクロヘキシル）エチルホルマート）；オーベピン（ＡＵＢＥＰＩＮＥ）パラクレゾール（４−メトキシベンズアルデヒド）；アズロン（ＡＺＵＲＯＮＥ）（７−イソペンチル−２Ｈ−ベンゾ［ｂ］［１，４］ジオキセピン−３（４Ｈ）−オン）；ベンジルアセタート；ベンジルアルコール；ビシクロノナラクトン（オクタヒドロ−２Ｈ−クロモン−２−オン）；ボルネオオール結晶（（１Ｓ，２Ｓ，４Ｓ）−１，７，７−トリメチルビシクロ［２．２．１］ヘプタン−２−オール）；ブチルアセタート（ブチルアセタート）；ブチルブチロラクタート（１−ブトキシ−１−オキソプロパン−２−イルブタノアート）；
【００３３】
カルボンレボ（ＣＡＲＶＯＮＥ  ＬＡＥＶＯ）（２−メチル−５−（プロパ−１−エン−２−イル）シクロヘキサ−２−エノン）；カシュメラン（ＣＡＳＨＭＥＲＡＮ）（登録商標）（１，１，２，３，３−ペンタメチル−２，３，６，７−テトラヒドロ−１Ｈ−インデン−４（５Ｈ）−オン）；カシラン（ＣＡＳＳＹＲＡＮＥ）（登録商標）（５−ｔｅｒｔ−ブチル−２−メチル−５−プロピル−２Ｈ−フラン）；セドリルメチルエーテル（（１Ｒ，６Ｓ，８ａＳ）−６−メトキシ−１，４，４，６−テトラメチルオクタヒドロ−１Ｈ−５，８ａ−メタノアズレン）；セタロクス（ＣＥＴＡＬＯＸ）（登録商標）（３ａ，６，６，９ａ−テトラメチル−２，４，５，５ａ，７，８，９，９ｂ−オクタヒドロ−１Ｈ−ベンゾ［ｅ］［１］ベンゾフラン）；シンナムアルバ（ＣＩＮＮＡＭＡＬＶＡ）（シンナモニトリル）；シンナムアルデヒド（シンナムアルデヒド）；酢酸シンナミル（シンナミルアセタート）；シトラールテック（ＣＩＴＲＡＬ  ＴＥＣＨ）（（Ｅ）−３，７−ジメチルオクタ−２，６−ジエナール）；シトロネロール（３，７−ジメチルオクタ−６−エン−１−オール）；シトロネリルアセタート（３，７−ジメチルオクタ−６−エン−１−イルアセタート）；シトロネリルオキシアセトアルデヒド（２−（（３，７−ジメチルオクタ−６−エン−１−イル）オキシ）アセトアルデヒド）；コニフェラン（ＣＯＮＩＦＥＲＡＮ）（登録商標）（２−（ｔｅｒｔ−ペンチル）シクロヘキシルアセタート）；クマリン（２Ｈ−クロメン−２−オン）；シクラールＣ（２，４−ジメチルシクロヘキサー３−エンカルボアルデヒド）；シクラメンアルデヒド（３−（４−イソプロピルフェニル）−２−メチルプロパナール）；
【００３４】
シクロガルバナート（アリル２−（シクロヘキシルオキシ）アセタート）；シクロヘキサール（４−（４−ヒドロキシ−４−メチルペンチル）シクロヘキサ−３−エンカルボアルデヒド）；シメンパラ（ｐ−シメン）；シプリゼート（メチル１，４−ジメチルシクロヘキサンカルボキシラート）；ダマスコン（（Ｅ）−１−（２，６，６−トリメチルシクロヘキサ−１，３−ジエン−１−イル）ブタ−２−エン−１−オン）；ダマスコンアルファ（（Ｅ）−１−（２，６，６−トリメチルシクロヘキサ−２−エン−１−イル）ブタ−２−エン−１−オン）；ダマスコンデルタ（（Ｅ）−１−（２，６，６−トリメチルシクロヘキサ−３−エン−１−イル）ブタ−２−エン−１−オン）；デカラクトンガンマ（５−ヘキシルオキソラン−２−オン）；デセナール−４−トランス（（Ｅ）−デカ−４−エナール）；ジエチルマロナート；ジヒドロオイゲノール（２−メトキシ−４−プロピルフェノール）；ジヒドロリナロール（３，７−ジメチルオクタ−６−エン−３−オール）；ジヒドロミルセノール（２，６−ジメチルオクタ−７−エン−２−オール）；ジメトール（２，６−ジメチルヘプタン−２−オール）；ジメチルベンジルカルビニルアセタート（２−メチル−１−フェニルプロパン−２−イルアセタート）；ジメチルベンジルカルビニルブチラート（２−メチル−１−フェニルプロパン−２−イルブタノアート；ジミルセトール（２，６−ジメチルオクタ−７−エン−２−オール）；ドデカラクトンデルタ（６−ヘプチルテトラヒドロ−２Ｈ−ピラン−２−オン）；
【００３５】
エバノール（ＥＢＡＮＯＬ）（登録商標）（（Ｅ）−３−メチル−５−（２，２，３−トリメチルシクロペンター３−エン−１−イル）ペンタ−４−エン−２−オール）；エリンタール（ＥＬＩＮＴＡＡＬ）（３−（１−エトキシエトキシ）−３，７−ジメチルオクタ−１，６−ジエン）；エチルアセトアセタート；エチルブチラート（エチルブタノアート）；エチルヘプタノアート；エチルイソアミルケトン（６−メチルヘプタン−３−オン）；エチルイソバレラート（エチル３−メチルブタノアート）；エチルリナロール（（Ｅ）−３，７−ジメチルノナ−１，６−ジエン−３−オール）；エチルマルトール（２−エチル−３−ヒドロキシ−４Ｈ−ピラン−４−オン）；エチルメチル−２−ブチラート（エチル２−メチルブタノアート）；エチルサフラナート（エチル２，６，６−トリメチルシクロヘキサ−１，３−ジエン−１−カルボキシラート）；エチルバニリン（３−エトキシ−４−ヒドロキシベンズアルデヒド）；ユーカリプトール（（１ｓ，４ｓ）−１，３，３−トリメチル−２−オキサビシクロ［２．２．２］オクタン）；オイゲノール（４−アリル−２−メトキシフェノール）；エバニル（メチル２，４−ジヒドロキシ−３，６−ジメチルベンゾアート）；フェンチルアルコール（（１Ｓ，２Ｒ，４Ｒ）−１，３，３−トリメチルビシクロ［２．２．１］ヘプタン−２−オール）；フロラロゾン（登録商標）（３−（４−エチルフェニル）−２，２−ジメチルプロパナール）；フロリドラル（ＦＬＯＲＨＹＤＲＡＬ）（登録商標）（３−（３−イソプロピルフェニル）ブタナール）；ＦＬＯＲＩＤＩＬＥ（登録商標）（（Ｅ）−ウンデカ−９−エンニトリル）；
【００３６】
フロロシクレン（３ａＲ，６Ｓ，７ａＳ）−３ａ，４，５，６，７，７ａ−ヘキサヒドロ−１Ｈ−４，７−メタノインデン−６−イルプロピオナート）；フロロパル（ＦＬＯＲＯＰＡＬ）（登録商標）（２，４，６−トリメチル−４−フェニル−１，３−ジオキサン）；フロロサ（ＦＬＯＲＯＳＡ）（ヘホラヒドロ−４−メチル−２−（２−メチルプロピル）−２Ｈ−ピラン−４−オール）；ガルバノン（ＧＡＬＢＡＮＯＮＥ）（１−（３，３−ジメチルシクロヘキサー１−エン−１−イル）ペンタ−４−エン−１−オン）；ガルデノール（ＧＡＲＤＥＮＯＬ）（１−フェニルエチルアセタート）；ガルドシクレン（（３ａＲ，６Ｓ，７ａＳ）−３ａ，４，５，６，７，７ａ−ヘキサヒドロ−１Ｈ−４，７−メタノインデン−６−イルイソブタノアート）；ゲラニオール（（Ｅ）−３，７−ジメチルオクタ−２，６−ジエン−１−オール）；ヘディオン（ＨＥＤＩＯＮＥ）（メチル３−オキソ−２−ペンチルシクロペンタンアセタート）；ヘリオトロピン結晶（ベンゾ［ｄ］［１，３］ジオキソール−５−カルボアルデヒド）；ヘキセニルアセタートシス−３（シス−ヘキサ−３−エニルアセタート）；ヘキセニル−３−シスベンゾアート（（Ｚ）−ヘキサ−３−エン−１−イルベンゾアート）；ヘキシル−３−シスサリチラート（（Ｚ）−ヘキサ−３−エン−１−イル２−ヒドロキシベンゾアート）；ヘキシルブチラート（ヘキシルブタノアート）；ヘキシルイソブチラート（ヘキシルイソブタノアート）；
【００３７】
イオノンベータ（（Ｅ）−４−（２，６，６−トリメチルシクロヘキサー１−エン−１−イル）ブタ−３−エン−２−オン）；イリソンピュア（（Ｅ）−４−（２，６，６−トリメチルシクロヘキサー２−エン−１−イル）ブタ−３−エン−２−オン）；イソＥスーパー（登録商標）（１−（２，３，８，８−テトラメチル−１，２，３，４，５，６，７，８−オクタヒドロナフタレン−２−イル）エタノン）；イソアミルブチラート（イソペンチルブタノアート）；イソシクロシトラール（２，４，６−トリメチルシクロヘキサー３−エンカルボアルデヒド）；イソオイゲノール（（Ｅ）−２−メトキシ−４−（プロパ−１−エン−１−イル）フェノール）；イソメントンＤＬ（２−イソプロピル−５−メチルシクロヘキサノン）；イソペンチルイソバレラート（イソペンチル３−メチルブタノアート）；イソプロピル−２メチル−４チアゾール（２−イソプロピル−４−メチルチアゾール）；イソラルディン（登録商標）７０（（Ｅ）−３−メチル−４−（２，６，６−トリメチルシクロヘキサ−２−エン−１−イル）ブタ−３−エン−２−オン）；ジャマシクレン（ＪＡＭＡＣＹＣＬＥＮＥ）（（３ａＲ，６Ｓ，７ａＳ）−３ａ，４，５，６，７，７ａ−ヘキサヒドロ−１Ｈ−４，７−メタノインデン−６−イルアセタート）；
【００３８】
ジャスマトン（ＪＡＳＭＡＴＯＮＥ）（登録商標）（２−ヘキシルシクロペンタノン）；ジャスモニル（（３−ペンチルオキサン−４−イル）アセタート）；ジャバノール（ＪＡＶＡＮＯＬ）（登録商標）（（１−メチル−２−（（１，２，２−トリメチルビシクロ［３．１．０］ヘキサン−３−イル）メチル）シクロプロピル）メタノール）；ＫＯＨＩＮＯＯＬ（登録商標）（３，４，５，６，６−ペンタメチルヘプタン−２−オール）；ラビエンオキシム（ＬＡＢＩＥＮＯＸＩＭＥ）（（３Ｅ，６Ｅ）−２，４，４，７−テトラメチルノナ−６，８−ジエン−３−オンオキシム）；レモニール（ＬＥＭＯＮＩＬＥ）（登録商標）（（２Ｅ，６Ｚ）−３，７−ジメチルノナ−２，６−ジエンニトリル）；リファローム（ＬＩＦＦＡＲＯＭＥ）（登録商標）（（Ｚ）−ヘキサ−３−エン−１−イルメチルカーボナート）；リナロール（３，７−ジメチルオクタ−１，６−ジエン−３−オール）；リナリルアセタート（３，７−ジメチルオクタ−１，６−ジエン−３−イルアセタート）；マシール（ＭＡＣＥＡＬ）（ビシクロ［２．２．２］オクタ−５−エン−２−カルボキシアルデヒド）；ＭＡＨＯＮＩＡＬ（（４Ｅ）−９−ヒドロキシ−５，９−ジメチル−４−デセナール）；マンザナート（ＭＡＮＺＡＮＡＴＥ）（エチル２−メチルペンタノアート）；メントール（２−イソプロピル−５−メチルシクロヘキサノール）；メトキシフェニルブタノン（４−（４−メトキシフェニル）ブタン−２−オン）；メチルアミルケトン（ヘプタン−２−オン）；メチルアントラニラート（メチル２−アミノベンゾアート）；メチルシンナマート（メチルシンナマート）；
【００３９】
メチルヘプテノン（６−メチルヘプタ−５−エン−２−オン）；メチルヘキシルケトン（オクタン−２−オン）；メチルパンプルムース（ＰＡＭＰＬＥＭＯＵＳＳＥ）（登録商標）（６，６−ジメトキシ−２，５，５−トリメチルヘキサ−２−エン）；ムスクＣ１４（１，４−ジオキサシクロヘキサデカン−５，１６−ジオン）；ミルセン９０（７−メチル−３−メチレンオクタ−１，６−ジエン）；ネオフォリオン（ＮＥＯＦＯＬＩＯＮＥ）（（Ｅ）−メチルノナ−２−エノアート）；ナノニルアセタート；ＯＰＡＬＡＬ（７−イソプロピル−８，８−ジメチル−６，１０−ジオキサスピロ［４．５］デカン）；オレンジ結晶（１−（２−ナフタレニル）−エタノン）；ＯＸＡＮＥ（登録商標）５０％／ＴＥＣ  （２−メチル−４−プロピル−１，３−オキサチアン）；オキシオクタリンホルマート（２，４ａ，５，８ａ−テトラメチル−１，２，３，４，４ａ，７，８，８ａ−オクタヒドロナフタレン−１−イルホルマート）；パラダイサミド（ＰＡＲＡＤＩＳＡＭＩＤＥ）（登録商標）（２−エチル−Ｎ−メチル−Ｎ−（ｍ−トリル）ブタンアミド）；パラ−ｔｅｒｔ−ブチル−シクロヘキシルアセタート（４−（ｔｅｒｔ−ブチル）シクロヘキシルアセタート）；ピーチピュア（５−ヘプチルジヒドロフラン−２（３Ｈ）−オン）；ペラルゴール（ＰＥＬＡＲＧＯＬ）（３，７−ジメチルオクタン−１−オール）；ペタリア（ＰＥＴＡＬＩＡ）（２−シクロヘキシリデン−２−（ｏ−トリル）アセトニトリル）；フェノキシアセトアルデヒド（２−フェノキシアセトアルデヒド）；フェニルエチルアルコール（２−フェニルエタノール）；プルノリド（ＰＲＵＮＯＬＩＤＥ）（５−ペンチルジヒドロフラン−２（３Ｈ）−オン）；ラジャノール（ＲＡＤＪＡＮＯＬ）（登録商標）（（Ｅ）−２−エチル−４−（２，２，３−トリメチルシクロペンター３−エン−１−イル）ブタ−２−エン−１−オール）；
【００４０】
ラズベリーケトン（Ｎ１１２）（４−（４−ヒドロキシフェニル）ブタン−２−オン）；レセダル（ＲＥＳＥＤＡＬ）（２−（シクロヘキシルメチル）−４，４，６−トリメチル−１，３−ジオキサン）；ＲＨＵＢＡＦＵＲＡＮ（登録商標）（２，４−ジメチル−４−フェニルテトラヒドロフラン）；セレノリド（２−（１−（３，３−ジメチルシクロヘキシル）エトキシ）−２−メチルプロピルシクロプロパンカルボキシラート）；ＲＯＳＳＩＴＯＬ（３−イソブチル−１−メチルシクロヘキサノール）；ＲＯＳＹＦＯＬＩＡ（１−メチル−２−（５−メチルヘキサ−４−エン−２−イル）シクロプロピル）−メタノール）；ストロベリーピュア（エチルメチルフェニルグリシダート）；ＳＹＬＫＯＬＩＤＥ（登録商標）（（Ｅ）−２−（（３，５−ジメチルヘキサ−３−エン−２−イル）オキシ）−２−メチルプロピルシクロプロパン−カルボキシラート）；テトラヒドロ−オールリナルール（３，７−ジメチルオクタン−３−オール）；テトラヒドロミルセノール（２，６−ジメチルオクタン−２−オール）；テルフェニルアセタート（２−（４−メチルシクロヘキサー３−エン−１−イル）プロパン−２−イルアセタート）；テルピネオール（２−（４−メチルシクロヘキサー３−エン−１−イル）プロパン−２−オール）、チモール結晶（２−イソプロピル−５−メチルフェノール）；トランス−２−ヘキセナール（Ｅ−ヘキサ−２−エナール）；
【００４１】
トリシクラール（２，４−ジメチルシクロヘキサー３−エンカルボアルデヒド）；トリフェルナール（３−フェニルブタナール）；トリモフィックス  Ｏ（ＴＲＩＭＯＦＩＸ  Ｏ）（登録商標）（１−（（２Ｅ，５Ｚ，９Ｚ）−２，７，８−トリメチルシクロドデカ−２，５，９−トリエン−１−イル）エタノン）；ウンデカベルトール（ＵＮＤＥＣＡＶＥＲＴＯＬ）（（Ｅ）−４−メチルデカ−３−エン−５−オール）；バニリン（４−ヒドロキシ−３−メトキシベンズアルデヒド）；ジナリン（ＺＩＮＡＲＩＮＥ）（登録商標）（２−（２，４−ジメチルシクロヘキシル）ピリジン）；および３−（４−イソブチルｌ−２−メチルフェニル）プロパナール；アドキサール（ＡＤＯＸＡＬ）（２，６，１０−トリメチルウンデカ−９−エナール）；カロン（ＣＡＬＯＮＥ）（７−メチル−２Ｈ−ベンゾ［ｂ］［１，４］ジオキセピン−３（４Ｈ）−オン）；メチルオクチンカルボナート（メチルノナ−２−イノアート）；ＳＣＥＮＴＥＮＡＬ（（３ａＲ，４Ｒ，６Ｓ，７Ｒ，７ａＲ）−６−メトキシオクタヒドロ−１Ｈ−４，７−メタノインデン−１−カルボアルデヒド）；ＴＡＮＡＩＳＯＮＥ（（Ｚ）−１−（シクロオクタ−３−エン−１−イル）エタノン）；ＦＯＬＩＯＮＥ（メチルオクタ−２−イノアート）を含むが、これらに限定されない。
【００４２】
１種以上のフレグランス成分の総量は、香料組成物の約１０重量％〜約８０重量％、またはその範囲内の任意の個別の数値であってよい。もう１つの態様において、１種以上のフレグランス成分は、香料組成物の約２０重量％〜約６０重量％の量において存在してもよい；およびさらにもう１つの態様において、１種以上のフレグランス成分は、香料組成物の約３０重量％〜約５０重量％の量において存在してもよい。
【００４３】
出願人は、上述したモノテルペンなど、高い蒸気圧を有する一定のフィトンチッドを、空気清浄機を介して空気中に供給するために、香料組成物を一定の設計規則に合わせなければならない。特に、出願人は、溶媒やフレグランス成分を含む、ある香料組成物成分の分布が揮発性フィトンチッドの蒸発率に影響を与える主要なパラメーターであるということを見出した。驚くべきことに、出願人は、約１〜約３０００μｇ／Ｌの範囲における標準平衡ヘッドスペース濃度（ＨＳｉ０）を有する香料組成物成分の一定の分布を用いて、３０，０００μｇ／Ｌより高いＨＳｉ０濃度を有する揮発性フィトンチッドのリリースを制御できたことを見出した。
【００４４】
ある態様において、香料混合物は、溶媒および約１０，０００μｇ／Ｌ以下のＨＳｉ０を提示するフレグランス成分から選択される約９５ｗｔ％より多い香料組成物成分；溶媒および約１，０００μｇ／Ｌ以下のＨＳｉ０を提示するフレグランス成分から選択される約４０ｗｔ％〜約８５ｗｔ％の香料組成物成分；溶媒および約３００μｇ／Ｌ以下のＨＳｉ０を提示するフレグランス成分から選択される約２０ｗｔ％〜約７５ｗｔ％の香料組成物成分；および溶媒および約１００μｇ／Ｌ以下のＨＳｉ０を提示するフレグランス成分から選択される約１０ｗｔ％〜約５０ｗｔ％の香料組成物成分を有する標準平衡ヘッドスペース濃度（ＨＳｉ０）分布曲線を提示する。
【００４５】
もう１つの態様において、香料混合物が、溶媒および約１０，０００μｇ／Ｌ以下のＨＳｉ０を提示するフレグランス成分から選択される約９５ｗｔ％または９７ｗｔ％のいずれかより大きい香料組成物成分；溶媒および約１，０００μｇ／Ｌ以下のＨＳｉ０を提示するフレグランス成分から選択される約４０ｗｔ％〜約８５ｗｔ％あるいは約５５ｗｔ％〜約８０ｗｔ％の香料組成物成分；溶媒および約３００μｇ／Ｌ以下のＨＳｉ０を提示するフレグランス成分から選択される約２０ｗｔ％〜約７５ｗｔ％あるいは約４０ｗｔ％〜約６０ｗｔ％の香料組成物成分；ならびに溶媒および約１００μｇ／Ｌ以下のＨＳｉ０を提示するフレグランス成分から選択される約１０ｗｔ％〜約５０ｗｔ％あるいは約１０ｗｔ％〜約２５ｗｔ％の香料組成物成分を有する標準平衡ヘッドスペース濃度（ＨＳｉ０）分布曲線を提示する。
【００４６】
約１，０００〜約１０，０００μｇ／ＬのＨＳｉ０を有する適切な香料組成物成分は、（２Ｓ，４Ｓ）−１，７，７−トリメチルビシクロ［２．２．１］ヘプタン−２−イルアセタート；例えば、ボルニルアセタート（ＨＳｉ０＝１０２１μｇ／Ｌ）；３，７−ジメチルオクタン−３−オール、例えば、テトラヒドロリナルール（ＨＳｉ０＝１１２０μｇ／Ｌ）；２，６−ジメチルオクタ−７−エン−２−オール、例えば、ジヒドロミルセノール（ＨＳｉ０＝１２００μｇ／Ｌ）；３，７−ジメチルオクタ−１，６−ジエン−３−オール、例えば、リナルール（ＨＳｉ０＝１４０８μｇ／Ｌ）；ジエチルプロパンジオアート、例えば、ジエチルマロナート（ＨＳｉ０＝１５２９μｇ／Ｌ）；ジプロピレングリコールメチルエーテル、例えば、ＤＯＷＡＮＯＬ  ＤＰＭ（ＨＳｉ０＝１７５８μｇ／Ｌ）；２，６−ジメチルオクタ−７−エン−２−オール、例えばジミルセトール（ＤＩＭＹＲＣＥＴＯＬ）（ＨＳｉ０＝１８２３μｇ／Ｌ）；２−（ｓｅｃ−ブチル）シクロヘキサノン、例えば、フレスコメンテ（ＦＲＥＳＫＯＭＥＮＴＨＥ）（ＨＳｉ０＝１３５７μｇ／Ｌ）；ノナニルアセタート（ＨＳｉ０＝１９６３μｇ／Ｌ）；６，６−ジメトキシ−２，５，５−トリメチルヘキサ−２−エン、例えばメチルパンプルムース（ＰＡＭＰＬＥＭＯＵＳＳＥ）（ＨＳｉ０＝２４６４μｇ／Ｌ）；エチルヘプタノアート、例えば、エチルエナンテート（ＯＥＮＡＮＴＨＡＴＥ）（ＨＳｉ０＝４３５６μｇ／Ｌ）；エチル３−オキソブタノアート、例えばエチルアセトアセタート（ＨＳｉ０＝４７６７μｇ／Ｌ）；ヘキシルアセタート（ＨＳｉ０＝８８８９μｇ／Ｌ）を含むが、これらに限定されない。
【００４７】
約３００〜約１，０００μｇ／ＬのＨＳｉ０を有する適切な香料組成物成分は、２−（４−メチルシクロヘキサ−３−エン−１−イル）プロパン−２−オール、例えば、テルピネオールピュア（ＨＳｉ０＝３１２μｇ／Ｌ）；４−（ｔｅｒｔ−ブチル）シクロヘキシルアセタート、例えば、パラ−ＴＥＲＴ−ブチル−シクロヘキシルアセタート（ＨＳｉ０＝４８４μｇ／Ｌ）；フェニルメタノール例えば、ベンジルアルコールエクストラ（ＨＳｉ０＝４３２μｇ／Ｌ）；２−（４−メチルシクロヘキサ−３−エン−１−イル）プロパン−２−イルアセタート、例えば、テルピニルアセタート（ＨＳｉ０＝４６６μｇ／Ｌ）；（Ｅ）−３，７−ジメチルノナ−１，６−ジエン−３−オール、例えば、エチルリナルール（ＨＳｉ０＝５５７μｇ／Ｌ）；２，６−ジメチルオクタン−２−オール、例えば、テトラヒドロミルセノール（ＨＳｉ０＝７０６μｇ／Ｌ）；３，７−ジメチルオクタ−６−エン−３−オール、例えば、ジヒドロリナルール（ＨＳｉ０＝７４４μｇ／Ｌ）；１−フェニルエチルアセタート、例えば、ガルデノール（ＨＳｉ０＝７６１μｇ／Ｌ）；２−（ｔｅｒｔ−ブチル）シクロヘキシルアセタート、例えば、アグルメックス（ＡＧＲＵＭＥＸ）（ＨＳｉ０＝７７３μｇ／Ｌ）；ベンジルアセタート（ＨＳｉ０＝９３１μｇ／Ｌ）；ジプロピレングリコールメチルエーテルアセタート、例えばＤＯＷＡＮＯＬ  ＤＰＭＡ（ＨＳｉ０＝９３５μｇ／Ｌ）；３，７−ジメチルオクタ−１，６−ジエン−３−イルアセタート、例えば、リナリルアセタート（ＨＳｉ０＝９４６μｇ／Ｌ）を含むが、これらに限定されない。
【００４８】
約１００〜約３００μｇ／ＬのＨＳｉ０を有する適切な香料組成物成分は、（３ａＲ，６Ｓ，７ａＳ）−３ａ，４，５，６，７，７ａ−ヘキサヒドロ−１Ｈ−４，７−メタノインデン−６−イルプロピオナート、例えば、フロロシクレン（ＦＬＯＲＯＣＹＣＬＥＮＥ）（ＨＳｉ０＝１０８μｇ／Ｌ）；（３ａＲ，６Ｓ，７ａＳ）−３ａ，４，５，６，７，７ａ−ヘキサヒドロ−１Ｈ−４，７−メタノインデン−６−イルアセタート例えば、ＪＡＳＭＡＣＹＣＬＥＮＥ（ＨＳｉ０＝２１１μｇ／Ｌ）；２−フェニルエタノール、例えば、フェニルエチルアルコール（ＨＳｉ０＝２９８μｇ／Ｌ）；トリプロピレングリコールメチルエーテル、例えば、ＤＯＷＡＮＯＬ  ＴＰＭ（ＨＳｉ０＝１２２μｇ／Ｌ）；ジメチルグルタラートの混合物およびジメチルアジパート混合物、例えば、Ｆｌｅｘｉｓｏｌｖｅ  Ｔｅｃｈｎｏｌｏｇｙから利用可能なＦＬＥＸＩＳＯＬＶＥ（平均ＨＳｉ０＝２６３μｇ／Ｌ）を含むが、これらに限定されない。
【００４９】
約１００μｇ／Ｌ以下のＨＳｉ０を有する適切な香料組成物成分は、ジプロピレングリコールｎ−ブチルエーテル、例えば、Dow Chemicalsから利用可能なＤＯＷＡＮＯＬ  ＤＰｎＢ（ＨＳｉ０＝２１μｇ／Ｌ）；テトラヒドロ−４−メチル−２−（２−メチルプロピル）−２Ｈ−ピラン−４−オール、例えば、ＦＬＯＲＯＳＡ  ＨＣ（ＨＳｉ０＝９９μｇ／Ｌ）；ジプロピレングリコール（ＨＳｉ０＝７０μｇ／Ｌ）；メチル３−フェニルプロパ−２−エノアート、例えば、メチルシンナマート（ＨＳｉ０＝７３μｇ／Ｌ）；（３−ペンチルオキサン−４−イル）アセタート、例えば、ジャスモニル（ＪＡＳＭＯＮＹＬ）（ＨＳｉ０＝９４μｇ／Ｌ）を含むが、これらに限定されない。
【００５０】
任意の成分
香料組成物は、任意に、使用の方法に依存して、増粘剤、ゲル化剤、粘度／ゲル強度改質剤、溶媒、安定剤、界面活性剤、キレート剤、酸化剤およびUVブロッカーを含むがこれらに限定されないさらなる成分を含むことができる。
【００５１】
空気清浄装置
用語「空気清浄装置」は、揮発性材料の少なくともいくらかの蒸発を許容する任意の適切な表面を含む。任意の適切な大きさ、形状(shape)、形態（form）または構造（configuration）を有する任意の適切な空気清浄装置を用いることができる。適切な空気清浄装置は、天然材料、人工材料、繊維材料、非繊維材料、多孔質材料、非多孔質材料、およびそれらの組み合わせ：を含むが、これらに限定されない任意の適切な材料から作ることができる。ある態様において、本明細書において使用される空気清浄装置は、特徴において無炎であり、任意のタイプ（例えば、フレグランス、脱臭剤、殺菌剤または殺虫剤活性剤）の揮発性材料(例えば液体)を大気中に分配するために使用される任意の装置を含む。ある非限定の態様において、典型的な空気清浄装置は、ウィック、ゲル、および／または多孔性表面、ならびに液体流動容器から揮発性液体を分配するための発散させる領域の組み合わせを利用する。
【００５２】
ある態様において、空気清浄装置は、電気式液体ウィック空気清浄装置である。電気式液体ウィック空気清浄装置または液体電気式ウィック空気清浄装置は、加熱した液体ウィックの配送システム、圧電噴霧システム、電気噴霧装置またはベンチュリ装置を含む、電気または電池作動のエネルギー源を含む装置あるいはシステムをいう。もう１つの態様において、空気清浄装置は、電源を備えていない空気清浄機である。
【００５３】
電気式液体ウィック空気清浄装置は、フレグランスなどの揮発性液体を大気中に分配することで知られている。典型的な空気清浄装置は、ウィックと液体流動容器から揮発性液体を分配するために放出する領域との組み合わせを利用する。理想的に、空気清浄装置は、ほとんどまたは全くメンテナンスを必要としないべきであり、装置の寿命にわたりその放出品質を維持しながら設定された領域に安定してかつ制御した割合で揮発性材料を分配できるように行われるべきである。この存続期間の間、以下の条件が満たされることが期待される：（ｉ）大気中への香料のリリースの割合、すなわち、リリース率は時間に伴って大きく変化しない、（ｉｉ）香料のプロファイルはほとんど一定のままであり、すなわち、香料のにおい特性は経時的に本質的に変化しないままである、および（ｉｉｉ）空気清浄機の耐用年限の間、香料の総量が蒸発する、すなわち装置中に香料残渣が残らない、ように香料をリリースする。
【００５４】
しかしながら、上記条件は容易に満たされる。空気清浄機における主要な困難は装置の全耐用期間にわたり一定のにおいのリリースを得ることである。これは主に香料成分が、数桁、例えば２５℃で０．０００１〜１０ｍｍＨｇ以上に及ぶ蒸気圧を有するという事実による。したがって、ほとんどの揮発性成分がより不揮発性の成分よりも非常に早く無くなり、経時的に香料特性の望まない変化をもたらす、成分の差次的な蒸発が頻繁に生じる。例えば、空気清浄装置から蒸発するとき、シトラス−ウッディ特性を有する香料は、数時間または数日以内にそのシトラスファセットを失い得、新鮮さおよび混じりけのないウッディファセットが数週間残り得る。この効果は高蒸気圧によって特徴づけられる広い範囲のテルペンファミリーのフィトンチッドで生じることが予測される。これは、既定の期間にわたり所望の割合のフィトンチッドリリースを備える空気清浄機香料組成物を得るために出願人が解決しなければならなかった付加的な困難である（例えば３０、４０または６０日）。
【００５５】
しかしながら、部屋、オフィスおよびアパートなどの閉ざされた環境における使用のための空気清浄機に適用できる規制限度を考慮するために、本開示によるフィトンチッドの蒸発率は立方メートルあたり、時間当たり約０．１〜約１００マイクログラムの範囲に限定されてもよい。ある態様において、本開示による空気清浄機香料組成物は立方メートルあたり、時間当たり約０．１〜約１００マイクログラムの範囲における大気中へのフィトンチッドの蒸発率をもたらす；もう１つの態様において、蒸発率は立方メートルあたり、時間当たり約０．５〜約５０マイクログラムであってよい；およびさらにもう１つの態様において、蒸発率は立方メートルあたり、時間当たり約０．８〜約１０マイクログラムであってよい。１種以上のフィトンチッドが大気中にリリースされる場合において、上記蒸発率は香料組成物におけるフィトンチッドの総量を参照する。
【００５６】
もう１つの態様において、空気清浄装置は、加圧された容器に含有した空気清浄機組成物をノズルを通して運ばれ多数の液滴の形態において大気中に分配されるというかかる方法においてバルブを開くことにより操作されるエアロゾル発生器である。組成物がノズルを通して押し出す駆動力は、容器の内側および大気の間の圧力の差である。バルブは、使用者の指の動きによって、または機械のカムシャフトによってバルブオープナーを押して開けることができる。その全体において本明細書に組み込まれるUS6644507 B2には、バルブがモーターによって駆動される機会のメカニズムの意味により周期的に開かれる、装置を開示する。モニターは、部屋が使用されているかどうかを決定する以下のセンサーの信号を作動させる。あるいは、装置は、US20100038452 A1に開示され、その全体において本明細書に組み込まれているように、２つの容器および２つのノズルシステムを有することができ、それはまたモニターによって作動されてもよい。
【００５７】
もう１つの態様において、エアロゾル発生器は圧電要素であり、それは空気清浄機組成物の表面上に直接に適用される。かかる装置は、その全体において本明細書に組み込まれる、US7622073 B2に開示される。
【実施例】
【００５８】
例
本開示の趣旨と範囲から逸脱しない限り本発明の多くの変形が可能であるとおり、以下の例は、単に説明の目的のために与えられたものであり、本発明の限定と解釈するべきではない。例２は、本開示による清浄機のための適切な香料組成物である。例１は比較例である。
【００５９】
例１および２
香料組成物
２種の空気清浄機香料組成物が調製された。例２は、本開示によるＨＳｉ０の分布および１．１％に等しいフィトンチッド（ピネンアルファ）のレベルを有する。香料組成物は表１に報告される。
【００６０】
表１
電気式プラグイン空気清浄機における使用のための香料組成物（例１および２）（全ての数字は重量％である（ｗｔ％））
【表１】
2019510110.tif 000002
【００６１】
１８ｍｌの香料組成物（例１および例２）を含有する電気式プラグイン空気清浄機は、開始時（１日目）、および６２．５±２．５℃の温度で１０および２０日の運転後に計量した。（香料組成物の最初の重量に関するとおり）％重量減少が表２に報告される。
【表２】
2019510110.tif 000003
【００６２】
重量減少がおおよそ６１％に到達したとき、蒸発が例１および２で停止した。特に、例１に対しては、蒸発は２３日目（６１．６％重量減少）で停止し、例２に対しては、蒸発は２６日目（６１．２％重量減少）で停止した。例を分析し、残留しているフィトンチッドの量を決定するために分析し、表３において報告する。
【表３】
2019510110.tif 000004
【００６３】
表２および３から明らかな通り、本発明による範囲外のＨＳｉ０の分布を有する例１は、例えばさらなる２または３週の電気式プラグイン空気清浄機の運転の後に十分なフィトンチッドリリースを保証できないほど高い２０日後のフィトンチッド減少をもたらす。
【００６４】
例３〜６
香料組成物の異なるタイプの調製およびフィトンチッド蒸発率の評価
４種の異なる空気清浄機香料組成物（例３〜６）は例２により調製され、電気式プラグイン空気清浄機に設置された。各例は１．１ｗｔ％のフィトンチッドを含有した。例３は新たに調製された空気清浄機を用い、一方、例４〜６は古い空気清浄機を用いた。この文脈において、「古い」は、一定の重量減少、本事例においては６１ｗｔ％および８１ｗｔ％、に到達するまで、開放した部屋において使用されたことを意味する。総フィトンチッド放出率は、空気濃度に基づいて、各例に対して決定され、表４に報告される。
【表４】
2019510110.tif 000005
【００６５】
例４〜６を調製し、２３ｍ３のブースの中で、２時間３０分、６２．５＋／−２．５℃の温度で加熱した電気式プラグイン空気清浄機を介して蒸発させた。ブース内の空気を最大限の３０分にわたり５０ｍｌ／分でサンプリングした、ここで、このサンプリングの間、フィトンチッドを、TENAX TA吸着剤で満たされたGerstel TDS 2 + TDSのための６ｍｍガラス脱着管に捕捉した。サンプルをその後Gerstel TDSユニットに熱的に脱着し、Gerstel CISユニットに−４７℃で捕捉した。熱的脱着は１０分間、２８℃／分の加熱率を用いて２８０℃までサンプル加熱することにより行った。低温−捕捉された分子は分割噴射を用いて、３１０℃でGC Rtx-5キャピラリーカラム中に一瞬脱着され、標準の手順によりガスクロマトグラフィー分析を実行した。２３立法メートル中で測定したフィトンチッド濃度は約４．３の希釈因子を適用することにより１００立方メートルに対する値に変換した。例４〜６に関して、電気式プラグイン空気清浄機は組成物の６１％が無くなる（すなわち、６１％重量減少）まで蒸発を許容した。
【００６６】
これらの例は、本開示による組成物規則を適用すると、フィトンチッドの放出率およびそれらの空気中濃度が所望の範囲内になることを示す。
【００６７】
本明細書に開示された大きさおよび値は列挙された正確な数値に厳格に限定して理解すべきではない。その代わりに、他に特定されない限り、各かかる大きさは列挙された値およびその値周辺の機能的に同等な範囲の両方を意味する。例えば、「４０ｍｍ」と開示された大きさは「約４０ｍｍ」を意味する。
【００６８】
本発明の特別な態様が説明され記載される一方、本発明の趣旨および範囲から離れない限り、様々な他の変更および改良がなされ得る。したがって、それは、添付した特許請求の範囲において本発明の範囲内の全てのかかる変更および改良に及ぶことを意味する。
【国際調査報告】
2019510110.tif 000006
2019510110.tif 000007
2019510110.tif 000008